(57)【要約】【課題】  チャンネルサーチに要する時間を短縮することができる携帯情報端末装置を提供することを目的とする。【解決手段】  アナログチューナ８及びデジタルチューナ９で抽出したテレビ放送波のチャンネル番号をアナログチャンネル番号記憶部２１及びデジタルチャンネル番号記憶部２２にそれぞれ格納する。デジタルチューナ９で受信可能なデジタルテレビ放送波のチャンネル番号を検索する場合には、既に抽出されているアナログテレビ放送波のチャンネル番号をチャンネルサーチの対象から除外し、アナログチューナ８で受信可能なアナログテレビ放送波のチャンネル番号を検索する場合には、既に抽出されているデジタルテレビ放送波のチャンネル番号をチャンネルサーチの対象から除外する。これにより、無駄なチャンネルサーチの対象を排除し、チャンネルサーチに要する時間を短縮することができる。【選択図】  図１
2007208463.tif 000002
【特許請求の範囲】
【請求項１】
チャンネル番号を指定して、それぞれ異なるチャンネル番号が割り当てられたデジタルテレビ放送波及びアナログテレビ放送波を受信可能な携帯情報端末装置において、
最も近い基地局との間で無線通信を行う無線通信手段と、
指定されたチャンネル番号のデジタルテレビ放送波を抽出するデジタルチューナと、
指定されたチャンネル番号のアナログテレビ放送波を抽出するアナログチューナと、
上記デジタルチューナ又は上記アナログチューナで抽出されたテレビ放送波のチャンネル番号を記憶しておくためのチャンネル番号記憶手段と、
ユーザ操作に基づいて、上記デジタルチューナ又は上記アナログチューナに対してチャンネル番号を順次に指定し、受信可能なテレビ放送波のチャンネル番号を検索するチャンネルサーチ手段と、
上記無線通信手段が無線通信を行う基地局を検出する基地局検出手段とを備え、
上記チャンネルサーチ手段は、上記チャンネル番号記憶手段に記憶されているチャンネル番号に基づいて、上記デジタルチューナ又は上記アナログチューナの一方のチューナで既に抽出されているテレビ放送波のチャンネル番号以外のチャンネル番号の中から、他方のチューナで受信可能なテレビ放送波のチャンネル番号を検索し、
上記チャンネル番号記憶手段は、上記基地局検出手段により検出される基地局の情報に基づいて、記憶しているチャンネル番号を消去することを特徴とする携帯情報端末装置。
【請求項２】
チャンネル番号を指定して、それぞれ異なるチャンネル番号が割り当てられたデジタルテレビ放送波及びアナログテレビ放送波を受信可能な携帯情報端末装置において、
指定されたチャンネル番号のデジタルテレビ放送波を抽出するデジタルチューナと、
指定されたチャンネル番号のアナログテレビ放送波を抽出するアナログチューナと、
上記デジタルチューナ又は上記アナログチューナで抽出されたテレビ放送波のチャンネル番号を記憶しておくためのチャンネル番号記憶手段と、
ユーザ操作に基づいて、上記デジタルチューナ又は上記アナログチューナに対してチャンネル番号を順次に指定し、受信可能なテレビ放送波のチャンネル番号を検索するチャンネルサーチ手段と、
上記携帯情報端末装置の位置情報を検出する位置情報検出手段とを備え、
上記チャンネルサーチ手段は、上記チャンネル番号記憶手段に記憶されているチャンネル番号に基づいて、上記デジタルチューナ又は上記アナログチューナの一方のチューナで既に抽出されているテレビ放送波のチャンネル番号以外のチャンネル番号の中から、他方のチューナで受信可能なテレビ放送波のチャンネル番号を検索し、
上記チャンネル番号記憶手段は、上記位置情報検出手段により検出される位置情報に基づいて、記憶しているチャンネル番号を消去することを特徴とする携帯情報端末装置。
【請求項３】
チャンネル番号を指定して、それぞれ異なるチャンネル番号が割り当てられたデジタルテレビ放送波及びアナログテレビ放送波を受信可能な携帯情報端末装置において、
指定されたチャンネル番号のデジタルテレビ放送波を抽出するデジタルチューナと、
指定されたチャンネル番号のアナログテレビ放送波を抽出するアナログチューナと、
上記デジタルチューナ又は上記アナログチューナで抽出されたテレビ放送波のチャンネル番号を記憶しておくためのチャンネル番号記憶手段と、
ユーザ操作に基づいて、上記デジタルチューナ又は上記アナログチューナに対してチャンネル番号を順次に指定し、受信可能なテレビ放送波のチャンネル番号を検索するチャンネルサーチ手段とを備え、
上記チャンネルサーチ手段は、上記チャンネル番号記憶手段に記憶されているチャンネル番号に基づいて、上記デジタルチューナ又は上記アナログチューナの一方のチューナで既に抽出されているテレビ放送波のチャンネル番号以外のチャンネル番号の中から、他方のチューナで受信可能なテレビ放送波のチャンネル番号を検索し、
上記チャンネル番号記憶手段は、上記デジタルチューナ又は上記アナログチューナの起動時に、記憶しているデジタルテレビ放送波又はアナログテレビ放送波のチャンネル番号を消去することを特徴とする携帯情報端末装置。
【請求項４】
上記チャンネル番号記憶手段にチャンネル番号が格納された時間を記憶する格納時間記憶手段を備え、
上記チャンネルサーチ手段は、上記デジタルチューナ又は上記アナログチューナの一方のチューナで既に抽出されているテレビ放送波のチャンネル番号のうち、上記チャンネル番号記憶手段に格納されてから所定時間が経過しているチャンネル番号の中から、他方のチューナで受信可能なテレビ放送波のチャンネル番号を検索することを特徴とする請求項３に記載の携帯情報端末装置。
【発明の詳細な説明】
【技術分野】
【０００１】
本発明は、携帯情報端末装置に係り、さらに詳しくは、デジタルテレビ放送波及びアナログテレビ放送波を受信可能な携帯情報端末装置の改良に関する。
【背景技術】
【０００２】
テレビ受像機の中には、デジタルテレビ放送波及びアナログテレビ放送波を受信して、いずれかのテレビ放送波に基づくテレビ画像を表示画面に表示するとともに、そのテレビ画像に対応するテレビ音声を出力することにより、デジタルテレビ放送又はアナログテレビ放送を視聴することができるようになっているものがある（例えば、特許文献１〜３）。
【０００３】
この種のテレビ受像機では、例えば、テレビ放送波が正常に受信されるまで、デジタルチューナ又はアナログチューナに対してチャンネル番号を順次に指定する処理、いわゆるチャンネルサーチを行うことができる。
【０００４】
ＶＨＦ(Very High Frequency)の周波数帯には、周波数に応じて「１」〜「１２」のチャンネル番号が割り当てられている。また、ＵＨＦ(Ultra High Frequency)の周波数帯には、周波数に応じて「１３」〜「６２」のチャンネル番号が割り当てられている。
【０００５】
デジタルテレビ放送波及びアナログテレビ放送波の各チャンネル番号は、上記のような複数のチャンネル番号の中で互いに重複しないように割り当てられている。すなわち、デジタルテレビ放送波が割り当てられているチャンネル番号には、アナログテレビ放送波は割り当てられておらず、逆に、アナログテレビ放送波が割り当てられているチャンネル番号には、デジタルテレビ放送波は割り当てられていない。
【特許文献１】特開２００４−３１２３８４号公報
【特許文献２】特開２００３−６９９０７号公報
【特許文献３】特開２００５−１１７０９４号公報
【発明の開示】
【発明が解決しようとする課題】
【０００６】
チャンネルサーチを行う場合には、上記のような複数のチャンネル番号を順次に指定する処理が行われる。したがって、デジタルテレビ放送波のチャンネルサーチを行うときに、アナログテレビ放送波が割り当てられているチャンネル番号が指定されたり、アナログテレビ放送波のチャンネルサーチを行うときに、デジタルテレビ放送波が割り当てられているチャンネル番号が指定されたりして、チャンネルサーチに時間がかかるという問題があった。
【０００７】
本発明は、上記の事情に鑑みてなされたものであり、チャンネルサーチに要する時間を短縮することができる携帯情報端末装置を提供することを目的とする。
【課題を解決するための手段】
【０００８】
第１の本発明による携帯情報端末装置は、チャンネル番号を指定して、それぞれ異なるチャンネル番号が割り当てられたデジタルテレビ放送波及びアナログテレビ放送波を受信可能な携帯情報端末装置において、最も近い基地局との間で無線通信を行う無線通信手段と、指定されたチャンネル番号のデジタルテレビ放送波を抽出するデジタルチューナと、指定されたチャンネル番号のアナログテレビ放送波を抽出するアナログチューナと、上記デジタルチューナ又は上記アナログチューナで抽出されたテレビ放送波のチャンネル番号を記憶しておくためのチャンネル番号記憶手段と、ユーザ操作に基づいて、上記デジタルチューナ又は上記アナログチューナに対してチャンネル番号を順次に指定し、受信可能なテレビ放送波のチャンネル番号を検索するチャンネルサーチ手段と、上記無線通信手段が無線通信を行う基地局を検出する基地局検出手段とを備え、上記チャンネルサーチ手段は、上記チャンネル番号記憶手段に記憶されているチャンネル番号に基づいて、上記デジタルチューナ又は上記アナログチューナの一方のチューナで既に抽出されているテレビ放送波のチャンネル番号以外のチャンネル番号の中から、他方のチューナで受信可能なテレビ放送波のチャンネル番号を検索し、上記チャンネル番号記憶手段は、上記基地局検出手段により検出される基地局の情報に基づいて、記憶しているチャンネル番号を消去するように構成される。
【０００９】
このような構成により、デジタルチューナ又はアナログチューナの一方のチューナで既に抽出されているテレビ放送波のチャンネル番号以外のチャンネル番号の中から、他方のチューナで受信可能なテレビ放送波のチャンネル番号が検索される。すなわち、デジタルチューナで受信可能なデジタルテレビ放送波のチャンネル番号を検索する場合には、既に抽出されているアナログテレビ放送波のチャンネル番号をチャンネルサーチの対象から除外し、アナログチューナで受信可能なアナログテレビ放送波のチャンネル番号を検索する場合には、既に抽出されているデジタルテレビ放送波のチャンネル番号をチャンネルサーチの対象から除外することができる。
【００１０】
このように、アナログテレビ放送波のチャンネル番号と判明しているチャンネル番号は、デジタルテレビ放送波のチャンネルサーチの対象とはせず、デジタルテレビ放送波のチャンネル番号と判明しているチャンネル番号は、アナログテレビ放送波のチャンネルサーチの対象とはしないことにより、無駄なチャンネルサーチの対象を排除し、チャンネルサーチに要する時間を短縮することができる。
【００１１】
また、無線通信を行う基地局が切り替わり、携帯情報端末装置が一定距離以上移動したと判断できる場合には、チャンネル番号記憶手段に記憶されているチャンネル番号が消去される。したがって、各チャンネル番号に割り当てられるデジタルテレビ放送波及びアナログテレビ放送波が異なる地域に移動した場合に、既に抽出されているチャンネル番号がチャンネルサーチの対象から除外されるのを防止できる。
【００１２】
第２の本発明による携帯情報端末装置は、チャンネル番号を指定して、それぞれ異なるチャンネル番号が割り当てられたデジタルテレビ放送波及びアナログテレビ放送波を受信可能な携帯情報端末装置において、指定されたチャンネル番号のデジタルテレビ放送波を抽出するデジタルチューナと、指定されたチャンネル番号のアナログテレビ放送波を抽出するアナログチューナと、上記デジタルチューナ又は上記アナログチューナで抽出されたテレビ放送波のチャンネル番号を記憶しておくためのチャンネル番号記憶手段と、ユーザ操作に基づいて、上記デジタルチューナ又は上記アナログチューナに対してチャンネル番号を順次に指定し、受信可能なテレビ放送波のチャンネル番号を検索するチャンネルサーチ手段と、上記携帯情報端末装置の位置情報を検出する位置情報検出手段とを備え、上記チャンネルサーチ手段は、上記チャンネル番号記憶手段に記憶されているチャンネル番号に基づいて、上記デジタルチューナ又は上記アナログチューナの一方のチューナで既に抽出されているテレビ放送波のチャンネル番号以外のチャンネル番号の中から、他方のチューナで受信可能なテレビ放送波のチャンネル番号を検索し、上記チャンネル番号記憶手段は、上記位置情報検出手段により検出される位置情報に基づいて、記憶しているチャンネル番号を消去するように構成される。
【００１３】
このような構成により、デジタルチューナ又はアナログチューナの一方のチューナで既に抽出されているテレビ放送波のチャンネル番号以外のチャンネル番号の中から、他方のチューナで受信可能なテレビ放送波のチャンネル番号が検索される。すなわち、デジタルチューナで受信可能なデジタルテレビ放送波のチャンネル番号を検索する場合には、既に抽出されているアナログテレビ放送波のチャンネル番号をチャンネルサーチの対象から除外し、アナログチューナで受信可能なアナログテレビ放送波のチャンネル番号を検索する場合には、既に抽出されているデジタルテレビ放送波のチャンネル番号をチャンネルサーチの対象から除外することができる。
【００１４】
このように、アナログテレビ放送波のチャンネル番号と判明しているチャンネル番号は、デジタルテレビ放送波のチャンネルサーチの対象とはせず、デジタルテレビ放送波のチャンネル番号と判明しているチャンネル番号は、アナログテレビ放送波のチャンネルサーチの対象とはしないことにより、無駄なチャンネルサーチの対象を排除し、チャンネルサーチに要する時間を短縮することができる。
【００１５】
また、位置情報検出手段により検出される位置情報に基づいて、携帯情報端末装置が一定距離以上移動したと判断できる場合には、チャンネル番号記憶手段に記憶されているチャンネル番号が消去される。したがって、各チャンネル番号に割り当てられるデジタルテレビ放送波及びアナログテレビ放送波が異なる地域に移動した場合に、既に抽出されているチャンネル番号がチャンネルサーチの対象から除外されるのを防止できる。
【００１６】
第３の本発明による携帯情報端末装置は、チャンネル番号を指定して、それぞれ異なるチャンネル番号が割り当てられたデジタルテレビ放送波及びアナログテレビ放送波を受信可能な携帯情報端末装置において、指定されたチャンネル番号のデジタルテレビ放送波を抽出するデジタルチューナと、指定されたチャンネル番号のアナログテレビ放送波を抽出するアナログチューナと、上記デジタルチューナ又は上記アナログチューナで抽出されたテレビ放送波のチャンネル番号を記憶しておくためのチャンネル番号記憶手段と、ユーザ操作に基づいて、上記デジタルチューナ又は上記アナログチューナに対してチャンネル番号を順次に指定し、受信可能なテレビ放送波のチャンネル番号を検索するチャンネルサーチ手段とを備え、上記チャンネルサーチ手段は、上記チャンネル番号記憶手段に記憶されているチャンネル番号に基づいて、上記デジタルチューナ又は上記アナログチューナの一方のチューナで既に抽出されているテレビ放送波のチャンネル番号以外のチャンネル番号の中から、他方のチューナで受信可能なテレビ放送波のチャンネル番号を検索し、上記チャンネル番号記憶手段は、上記デジタルチューナ又は上記アナログチューナの起動時に、記憶しているデジタルテレビ放送波又はアナログテレビ放送波のチャンネル番号を消去するように構成される。
【００１７】
このような構成により、デジタルチューナ又はアナログチューナの起動時に、チャンネル番号記憶手段に記憶されているデジタルテレビ放送波又はアナログテレビ放送波のチャンネル番号が消去される。これにより、デジタルチューナの起動時には、直前のアナログチューナの動作中に抽出されたアナログテレビ放送波のチャンネル番号のみがチャンネル番号記憶手段に記憶された状態となり、アナログチューナの起動時には、直前のデジタルチューナの動作中に抽出されたデジタルテレビ放送波のチャンネル番号のみがチャンネル番号記憶手段に記憶された状態となる。
【００１８】
したがって、デジタルチューナ又はアナログチューナの一方のチューナが起動されてテレビ放送波が抽出され、その後に上記一方のチューナの動作が停止されて他方のチューナが起動された場合に、直前の上記一方のチューナの動作中に既に抽出されているテレビ放送波のチャンネル番号以外のチャンネル番号の中から、上記他方のチューナで受信可能なテレビ放送波のチャンネル番号が検索される。すなわち、デジタルチューナで受信可能なデジタルテレビ放送波のチャンネル番号を検索する場合には、直前のアナログチューナの動作中に抽出されたアナログテレビ放送波のチャンネル番号をチャンネルサーチの対象から除外し、アナログチューナで受信可能なアナログテレビ放送波のチャンネル番号を検索する場合には、直前のデジタルチューナの動作中に抽出されたデジタルテレビ放送波のチャンネル番号をチャンネルサーチの対象から除外することができる。
【００１９】
このように、アナログテレビ放送波のチャンネル番号と判明しているチャンネル番号は、デジタルテレビ放送波のチャンネルサーチの対象とはせず、デジタルテレビ放送波のチャンネル番号と判明しているチャンネル番号は、アナログテレビ放送波のチャンネルサーチの対象とはしないことにより、無駄なチャンネルサーチの対象を排除し、チャンネルサーチに要する時間を短縮することができる。
【００２０】
第４の本発明による携帯情報端末装置は、上記チャンネル番号記憶手段にチャンネル番号が格納された時間を記憶する格納時間記憶手段を備え、上記チャンネルサーチ手段は、上記デジタルチューナ又は上記アナログチューナの一方のチューナで既に抽出されているテレビ放送波のチャンネル番号のうち、上記チャンネル番号記憶手段に格納されてから所定時間が経過しているチャンネル番号の中から、他方のチューナで受信可能なテレビ放送波のチャンネル番号を検索するように構成される。
【００２１】
このような構成により、チャンネル番号記憶手段に格納されているチャンネル番号であっても、そのチャンネル番号が格納されてから所定時間が経過している場合には、チャンネルサーチの対象とすることができる。チャンネル番号記憶手段にチャンネル番号が格納されてから所定時間が経過している場合には、当該チャンネル番号に割り当てられるデジタルテレビ放送波又はアナログテレビ放送波が異なる地域に移動している可能性があるので、そのチャンネル番号をチャンネルサーチの対象とすることにより、当該チャンネル番号がチャンネルサーチの対象から除外されるのを防止できる。
【発明の効果】
【００２２】
本発明によれば、アナログテレビ放送波のチャンネル番号と判明しているチャンネル番号は、デジタルテレビ放送波のチャンネルサーチの対象とはせず、デジタルテレビ放送波のチャンネル番号と判明しているチャンネル番号は、アナログテレビ放送波のチャンネルサーチの対象とはしないことにより、無駄なチャンネルサーチの対象を排除し、チャンネルサーチに要する時間を短縮することができる。
【発明を実施するための最良の形態】
【００２３】
実施の形態１．
図１は、本発明の実施の形態１による携帯情報端末装置の一例を示したブロック図であり、携帯情報端末装置の一例として携帯電話機１が示されている。この携帯電話機１は、テレビ放送波を受信するためのテレビ放送受信用アンテナ２を備えており、受信したテレビ放送波に基づくテレビ画像を液晶表示器３に表示するとともに、そのテレビ画像に対応するテレビ音声をスピーカ４から出力することにより、テレビ放送を視聴することができるようになっている。ここで、液晶表示器３の表示画面に対する表示は、画面表示制御部５により制御され、スピーカ４から出力される音声は、音声制御部６により制御される。
【００２４】
テレビ放送受信用アンテナ２で受信したテレビ放送波に基づく信号は、テレビ放送受信部７へ入力される。テレビ局から発信されているテレビ放送波には、アナログ放送に対応するアナログテレビ放送波と、デジタル放送に対応するデジタルテレビ放送波とが含まれている。テレビ放送受信部７は、アナログチューナ８及びデジタルチューナ９を備えており、チューナ切替スイッチ１０の切り替えによって、これらのチューナ８，９の一方をテレビ放送受信用アンテナ２に接続することができるようになっている。
【００２５】
したがって、アナログチューナ８をテレビ放送受信用アンテナ２に接続した状態では、アナログテレビ放送波を受信することができ、デジタルチューナ９をテレビ放送受信用アンテナ２に接続した状態では、デジタルテレビ放送波を受信することができる。この携帯電話機１が受信するデジタルテレビ放送波は、一般のデジタルハイビジョン放送波の一定帯域に割り当てられた携帯電話機向けの１セグメント放送波であり、テレビ画像及びテレビ音声に加えて、そのテレビ画像に対応する字幕や関連する記事などの文字情報が含まれている。
【００２６】
アナログチューナ８は、テレビ放送受信用アンテナ２で受信されるアナログテレビ放送波から、指定されたチャンネル番号のアナログテレビ放送波を抽出する。また、デジタルチューナ９は、テレビ放送受信用アンテナ２で受信されるデジタルテレビ放送波から、指定されたチャンネル番号のデジタルテレビ放送波を抽出する。すなわち、ユーザが操作キー１１を操作してチャンネル番号を指定することにより、指定されたチャンネル番号のテレビ放送波がアナログチューナ８又はデジタルチューナ９により抽出され、その抽出されたテレビ放送波に基づくテレビ放送の視聴が可能になる。
【００２７】
一般的に、ＶＨＦ(Very High Frequency)の周波数帯には、周波数に応じて「１」〜「１２」のチャンネル番号が割り当てられている。また、ＵＨＦ(Ultra High Frequency)の周波数帯には、周波数に応じて「１３」〜「６２」のチャンネル番号が割り当てられている。これらのチャンネル番号のいずれかを指定して、そのチャンネル番号に割り当てられているテレビ放送波を受信することにより、チャンネル番号に応じたテレビ放送を視聴することができる。
【００２８】
アナログチューナ８で抽出されたアナログテレビ放送波に基づく信号は、ＮＴＳＣデコーダ１２に入力される。ＮＴＳＣデコーダ１２は、ＮＴＳＣ(National Television Standards Committee)方式のアナログテレビ放送波に基づく信号をデコードし、画面表示制御部５に入力する。画面表示制御部５は、ＮＴＳＣデコーダ１２から入力される信号に基づいて、液晶表示器３にテレビ画像を表示させる。一方、音声制御部６には、アナログチューナ８で抽出されたアナログテレビ放送波に基づく信号がそのまま入力され、その信号に基づくテレビ音声がスピーカ４から出力されるようになっている。
【００２９】
デジタルチューナ９で抽出されたデジタルテレビ放送波に基づく信号は、画像デコーダ１３及び音声デコーダ１４に入力される。画像デコーダ１３は、入力された信号をデコードすることによりテレビ画像のデータを生成し、このデータに基づいて画面表示制御部５が液晶表示器３にテレビ画像を表示させる。一方、音声デコーダ１４は、入力された信号をデコードすることによりテレビ音声のデータを生成し、このデータに基づいて音声制御部６がスピーカ４からテレビ音声を出力させる。
【００３０】
この携帯電話機１を用いて相手方電話機との間で通話を行う場合には、通信部１５において、通信用アンテナ１６を介して基地局（図示せず）との間で無線信号が送受信される。通信部１５は、最も近い基地局を選択し、その基地局との間で無線信号を送受信することにより無線通信を行う無線通信手段である。通信部１５との間で無線通信を行う基地局、すなわち当該携帯電話機１に最も近い基地局は、基地局からの無線信号の受信感度に基づいて基地局検出部１７により検出される。
【００３１】
相手方電話機との間で通話状態が確立された状態では、ユーザの通話音に基づく音声信号が通信部１５から送信され、相手方電話機からの通話音に基づく音声信号が通信部１５で受信されることにより、通話音がリアルタイムで送受信される。相手方電話機からの音声信号は、通信部１５から音声制御部６に入力され、その信号に基づく音声を音声制御部６が受話用レシーバ１８から出力させる。基地局から通信用アンテナ１６を介して電子メール等の文字情報を受信した場合には、画面表示制御部５によりその文字情報が液晶表示器３に表示される。
【００３２】
本実施の形態では、アナログチューナ８で抽出されたアナログテレビ放送波のチャンネル番号を、アナログチャンネル番号記憶部２１に格納し、デジタルチューナ９で抽出されたデジタルテレビ放送波のチャンネル番号を、デジタルチャンネル番号記憶部２２に格納することができるようになっている。したがって、アナログチャンネル番号記憶部２１に記憶されているチャンネル番号に基づいて、アナログチューナ８で既に抽出されたことのあるアナログテレビ放送波のチャンネル番号を特定することができ、デジタルチャンネル番号記憶部２２に記憶されているチャンネル番号に基づいて、デジタルチューナ９で既に抽出されたことのあるデジタルテレビ放送波のチャンネル番号を特定することができる。
【００３３】
アナログチャンネル番号記憶部２１及びデジタルチャンネル番号記憶部２２にチャンネル番号を格納する処理は、チャンネル番号格納制御部２０により制御される。チャンネル番号格納制御部２０は、基地局検出部１７からの検出信号に基づいて、アナログチャンネル番号記憶部２１又はデジタルチャンネル番号記憶部２２に記憶されているチャンネル番号を消去するようになっている。
【００３４】
アナログチューナ８及びデジタルチューナ９に対するチャンネル番号の指定は、操作キー１１の操作により行うことができる。このとき、操作キー１１を操作してチャンネル番号を入力することにより、チャンネル番号を直接指定することもできるが、テレビ放送波が正常に受信されるまで、アナログチューナ８又はデジタルチューナ９に対してチャンネル番号を順次に指定する処理、いわゆるチャンネルサーチを行うこともできる。
【００３５】
チャンネルサーチは、操作キー１１の操作に基づいて、チャンネルサーチ処理部２３により行われる。後述するが、チャンネルサーチ処理部２３は、アナログチャンネル番号記憶部２１及びデジタルチャンネル番号記憶部２２に記憶されているチャンネル番号に基づいて、特定のチャンネル番号の中から順次にチャンネル番号を指定するようになっている。
【００３６】
本実施形態において、画面表示制御部５、音声制御部６、チャンネル番号格納制御部２０及びチャンネルサーチ処理部２３は、ＣＰＵ(Central Processing Unit)がプログラム処理を行うことにより、機能的な処理部として構成されている。
【００３７】
図２は、各チャンネル番号に対する放送局の割り当ての一例を示した図である。各チャンネル番号に対する放送局の割り当ては、関東地区や関西地区といった地域ごとに異なっている。この例では、「２」、「４」、「６」、「８」、「１０」、「１２」、「１９」、「２８」、「３０」、「３２」、「３４」、「３６」、「５１」、「５５」の各チャンネル番号に、第１〜第１４テレビ放送のアナログテレビ放送波が割り当てられている。
【００３８】
これらのアナログテレビ放送波には、同一のコンテンツからなるデジタルテレビ放送波がそれぞれ対応付けられており、「２４」、「１６」、「１５」、「１７」、「１４」、「１３」、「１８」、「２２」、「２０」、「２５」、「２３」、「２６」、「３１」、「２９」の各チャンネル番号に、第１〜第１４テレビ放送のデジタルテレビ放送波が割り当てられている。図２において、デジタルテレビ放送波が割り当てられたチャンネル番号については、アナログテレビ放送波が割り当てられたチャンネル番号と区別するためにハッチングを施して示している。
【００３９】
図２に示すように、デジタルテレビ放送波及びアナログテレビ放送波の各チャンネル番号は、複数のチャンネル番号の中で互いに重複しないように割り当てられている。すなわち、デジタルテレビ放送波が割り当てられているチャンネル番号には、アナログテレビ放送波は割り当てられておらず、逆に、アナログテレビ放送波が割り当てられているチャンネル番号には、デジタルテレビ放送波は割り当てられていない。したがって、アナログチューナ８又はデジタルチューナ９に対してチャンネル番号を指定することにより、そのチャンネル番号に一対一に対応するアナログテレビ放送波又はデジタルテレビ放送波を受信することができるようになっている。
【００４０】
図３は、アナログチューナ８及びデジタルチューナ９の起動後に行われる処理の一例を示したフローチャートである。アナログチューナ８又はデジタルチューナ９が起動されると、アナログチャンネル番号記憶部２１又はデジタルチャンネル番号記憶部２２に記憶されている最新のチャンネル番号が読み出され（ステップＳ１０１）、そのチャンネル番号のテレビ放送波が抽出される（ステップＳ１０２）。
【００４１】
すなわち、アナログチューナ８が起動された場合には、それよりも前のアナログチューナ８の動作中に最後に抽出されたチャンネル番号が、アナログチャンネル番号記憶部２１から読み出され、そのチャンネル番号のアナログテレビ放送波がアナログチューナ８により抽出される。一方、デジタルチューナ９が起動された場合には、それよりも前のデジタルチューナ９の動作中に最後に抽出されたチャンネル番号が、デジタルチャンネル番号記憶部２２から読み出され、そのチャンネル番号のデジタルテレビ放送波がデジタルチューナ９により抽出される。そして、抽出されたテレビ放送波に基づくテレビ画像が液晶表示器３に表示されるとともに、そのテレビ画像に対応するテレビ音声がスピーカ４から出力される（ステップＳ１０３）。
【００４２】
その後、操作キー１１の操作によりチャンネルサーチが開始されると（ステップＳ１０４でＹｅｓ）、チャンネルサーチ処理部２３は、アナログチューナ８又はデジタルチューナ９に対して、そのときのチャンネル番号を「１」だけ増加させたチャンネル番号を指定することとなる（ステップＳ１０５）。このとき、そのチャンネル番号がデジタルチャンネル番号記憶部２２又はアナログチャンネル番号記憶部２１に記憶されていない場合にのみ、そのチャンネル番号が指定されるようになっている。
【００４３】
より具体的に説明すると、アナログチューナ８の動作中は、デジタルチャンネル番号記憶部２２に記憶されていないチャンネル番号、すなわち、それよりも前にデジタルチューナ９により抽出されていないテレビ放送波のチャンネル番号であれば（ステップＳ１０６でＮｏ）、そのチャンネル番号が指定されることにより、指定されたチャンネル番号のテレビ放送波がアナログチューナ８により抽出される（ステップＳ１０７）。一方、デジタルチューナ９の動作中は、アナログチャンネル番号記憶部２１に記憶されていないチャンネル番号、すなわち、それよりも前にアナログチューナ８により抽出されていないテレビ放送波のチャンネル番号であれば（ステップＳ１０６でＮｏ）、そのチャンネル番号が指定されることにより、指定されたチャンネル番号のテレビ放送波がデジタルチューナ９により抽出される（ステップＳ１０７）。
【００４４】
そして、指定されたチャンネル番号のテレビ放送波を抽出することができ、そのテレビ放送波を正常に受信することができれば（ステップＳ１０８でＹｅｓ）、そのテレビ放送波に基づくテレビ画像が液晶表示器３に表示されるとともに、テレビ画像に対応するテレビ音声がスピーカ４から出力される（ステップＳ１０９）。このとき、アナログチューナ８に対して指定されたチャンネル番号は、アナログチャンネル番号記憶部２１に格納され、デジタルチューナ９に対して指定されたチャンネル番号は、デジタルチャンネル番号記憶部２２に格納される（ステップＳ１１０）。
【００４５】
ここで、テレビ放送波を正常に受信することができる場合とは、テレビ放送受信用アンテナ２において受信されるそのテレビ放送波の受信感度が所定の閾値以上である場合をいうものとする。テレビ放送波を正常に受信することができるかどうかを判断するためには、指定されたチャンネル番号のテレビ放送波を抽出し、そのテレビ放送波の受信感度を検出して閾値と比較する処理を行わなければならないため、一定の時間を要する。
【００４６】
一方、アナログチューナ８に対して指定しようとするチャンネル番号が、既にデジタルチューナ９により抽出されてデジタルチャンネル番号記憶部２２に記憶されている場合や、デジタルチューナ９に対して指定しようとするチャンネル番号が、既にアナログチューナ８により抽出されてアナログチャンネル番号記憶部２１に記憶されている場合には（ステップＳ１０６でＹｅｓ）、そのチャンネル番号は指定されず、当該チャンネル番号をさらに「１」だけ増加させたチャンネル番号が指定されることとなる（ステップＳ１０５）。
【００４７】
また、指定されたチャンネル番号のテレビ放送波を抽出することができず、そのテレビ放送波を正常に受信することができなかった場合にも（ステップＳ１０８でＮｏ）、そのチャンネル番号をさらに「１」だけ増加させたチャンネル番号が指定される（ステップＳ１０５）。
【００４８】
このように、ユーザは、操作キー１１を操作することによりチャンネルサーチを行い、受信可能な所望のテレビ放送波に基づくテレビ画像及びテレビ音声を出力させて、テレビ放送を視聴することができる。その後、アナログチューナ８とデジタルチューナ９との間でチューナを切り替える操作や、テレビ放送の視聴を終了するための操作が行われ、そのとき動作中のアナログチューナ８又はデジタルチューナ９が停止されると（ステップＳ１１１でＹｅｓ）、そのとき受信中のテレビ放送波に基づくテレビ画像及びテレビ音声の出力が停止される（ステップＳ１１２）。
【００４９】
本実施の形態では、デジタルチューナ９又はアナログチューナ８の一方のチューナで既に抽出されているテレビ放送波のチャンネル番号以外のチャンネル番号の中から、他方のチューナで受信可能なテレビ放送波のチャンネル番号が検索される。すなわち、デジタルチューナ９で受信可能なデジタルテレビ放送波のチャンネル番号を検索する場合には、既に抽出されているアナログテレビ放送波のチャンネル番号をチャンネルサーチの対象から除外し、アナログチューナ８で受信可能なアナログテレビ放送波のチャンネル番号を検索する場合には、既に抽出されているデジタルテレビ放送波のチャンネル番号をチャンネルサーチの対象から除外することができる。
【００５０】
このように、アナログテレビ放送波のチャンネル番号と判明しているチャンネル番号は、デジタルテレビ放送波のチャンネルサーチの対象とはせず、デジタルテレビ放送波のチャンネル番号と判明しているチャンネル番号は、アナログテレビ放送波のチャンネルサーチの対象とはしないことにより、無駄なチャンネルサーチの対象を排除し、チャンネルサーチに要する時間を短縮することができる。
【００５１】
図２の例を用いてより具体的に説明すると、例えば、デジタルチューナ９の動作中に、チャンネル番号「１３」、「１４」、「１５」、「１６」が指定されて、これらのチャンネル番号のデジタルテレビ放送波が受信され、当該チャンネル番号がデジタルチャンネル番号記憶部２２に格納された後、デジタルチューナ９の動作が停止され、アナログチューナ８が起動されたとする。このとき、例えば、チャンネル番号「１２」がアナログチャンネル番号記憶部２１から読み出されて第６テレビ放送のアナログテレビ放送波が抽出されたとすると、その後にチャンネルサーチが行われた場合、デジタルチャンネル番号記憶部２２に記憶されているチャンネル番号「１３」、「１４」、「１５」、「１６」は指定されず、「１７」から順次にチャンネル番号が指定されることとなる。
【００５２】
なお、チャンネルサーチには、図３のステップＳ１０４〜Ｓ１１０を自動的に繰り返して、受信可能なテレビ放送波のチャンネル番号を順次に検索する処理が含まれていてもよい。また、チャンネルサーチは、チャンネル番号を「１」ずつ順次に増加させるような構成に限らず、例えば、チャンネル番号を「１」ずつ順次に減少させるような構成であってもよい。
【００５３】
図４は、アナログチャンネル番号記憶部２１及びデジタルチャンネル番号記憶部２２に記憶されているチャンネル番号を消去する処理の一例を示したフローチャートである。この例において、基地局検出部１７は、定期的に、この携帯電話機１に最も近い基地局を検出しており（ステップＳ２０１）、最も近い基地局が他の基地局に切り替わった場合に（ステップＳ２０２でＹｅｓ）、アナログチャンネル番号記憶部２１及びデジタルチャンネル番号記憶部２２に記憶されているチャンネル番号が消去される（ステップＳ２０３）。
【００５４】
このように、通信部１５が無線通信を行う基地局が切り替わり、携帯電話機１が一定距離以上移動したと判断できる場合には、アナログチャンネル番号記憶部２１及びデジタルチャンネル番号記憶部２２に記憶されているチャンネル番号が消去される。したがって、各チャンネル番号に割り当てられるデジタルテレビ放送波及びアナログテレビ放送波が異なる地域に移動した場合に、既に抽出されているチャンネル番号がチャンネルサーチの対象から除外されるのを防止できる。
【００５５】
実施の形態２．
実施の形態１では、基地局検出部１７からの検出信号に基づいて、アナログチャンネル番号記憶部２１及びデジタルチャンネル番号記憶部２２に記憶されているチャンネル番号が消去されるような構成について説明したが、実施の形態２では、位置情報検出手段の一例であるＧＰＳ受信部２４により検出される位置情報に基づいて、アナログチャンネル番号記憶部２１及びデジタルチャンネル番号記憶部２２に記憶されているチャンネル番号が消去されるようになっている点が異なっている。
【００５６】
図５は、本発明の実施の形態２による携帯情報端末装置の一例を示したブロック図であり、携帯情報端末装置の一例として携帯電話機１０１が示されている。この携帯電話機１０１は、ＧＰＳ受信部２４を備え、このＧＰＳ受信部２４からチャンネル番号格納制御部２０に位置情報が入力されるようになっている点を除いて、実施の形態１の携帯電話機１と同様の構成を有している。したがって、図５において、実施の形態１の携帯電話機１と同様の構成については、図に同一符号を付してその説明を省略することとする。
【００５７】
ＧＰＳ受信部２４は、ＧＰＳ(Global Positioning System)により、衛星からＧＰＳ受信用アンテナ２５を介して受信する電波に基づいて、携帯電話機１０１の緯度経度情報を位置情報として検出する。チャンネル番号格納制御部２０は、ＧＰＳ受信部２４から入力される位置情報に基づいて、アナログチャンネル番号記憶部２１及びデジタルチャンネル番号記憶部２２に記憶されているチャンネル番号を消去するようになっている。
【００５８】
図６は、アナログチャンネル番号記憶部２１及びデジタルチャンネル番号記憶部２２に記憶されているチャンネル番号を消去する処理の一例を示したフローチャートである。この例において、ＧＰＳ受信部２４は、定期的に、携帯電話機１０１の位置情報を検出しており（ステップＳ３０１）、その位置情報に基づいて携帯電話機１０１が一定距離以上移動したと判断できる場合に（ステップＳ３０２でＹｅｓ）、アナログチャンネル番号記憶部２１及びデジタルチャンネル番号記憶部２２に記憶されているチャンネル番号が消去される（ステップＳ３０３）。
【００５９】
このような構成であっても、実施の形態１の携帯電話機１と同様に、各チャンネル番号に割り当てられるデジタルテレビ放送波及びアナログテレビ放送波が異なる地域に移動した場合に、既に抽出されているチャンネル番号がチャンネルサーチの対象から除外されるのを防止できる。
【００６０】
実施の形態３．
実施の形態１では、基地局検出部１７からの検出信号に基づいて、アナログチャンネル番号記憶部２１及びデジタルチャンネル番号記憶部２２に記憶されているチャンネル番号が消去されるような構成について説明したが、実施の形態３では、アナログチューナ８及びデジタルチューナ９の起動時に、アナログチャンネル番号記憶部２１及びデジタルチャンネル番号記憶部２２に記憶されているチャンネル番号がそれぞれ消去されるようになっている。
【００６１】
図７は、本発明の実施の形態３による携帯情報端末装置の一例を示したブロック図であり、携帯情報端末装置の一例として携帯電話機２０１が示されている。この携帯電話機２０１において、チャンネル番号格納制御部２０は、アナログチャンネル番号記憶部２１及びデジタルチャンネル番号記憶部２２にチャンネル番号を格納する際に、タイマ２６からの入力信号に基づいて、そのときの時間情報を格納時間記憶部２７に格納するようになっている。この点を除いて、本実施の形態の携帯電話機２０１は、実施の形態１の携帯電話機１と同様の構成を有しているので、図７において、実施の形態１の携帯電話機１と同様の構成については、図に同一符号を付してその説明を省略することとする。
【００６２】
チャンネルサーチ処理部２３は、アナログチャンネル番号記憶部２１及びデジタルチャンネル番号記憶部２２に記憶されているチャンネル番号と、格納時間記憶部２７に記憶されているそれらのチャンネル番号の格納時間とに基づいて、特定のチャンネル番号の中から順次にチャンネル番号を指定するようになっている。
【００６３】
図８は、アナログチューナ８及びデジタルチューナ９の起動後に行われる処理の一例を示したフローチャートである。アナログチューナ８又はデジタルチューナ９が起動されると、アナログチャンネル番号記憶部２１又はデジタルチャンネル番号記憶部２２に記憶されている最新のチャンネル番号が読み出され（ステップＳ４０１）、そのチャンネル番号のテレビ放送波が抽出される（ステップＳ４０２）。
【００６４】
すなわち、アナログチューナ８が起動された場合には、それよりも前のアナログチューナ８の動作中に最後に抽出されたチャンネル番号が、アナログチャンネル番号記憶部２１から読み出され、そのチャンネル番号のアナログテレビ放送波がアナログチューナ８により抽出される。一方、デジタルチューナ９が起動された場合には、それよりも前のデジタルチューナ９の動作中に最後に抽出されたチャンネル番号が、デジタルチャンネル番号記憶部２２から読み出され、そのチャンネル番号のデジタルテレビ放送波がデジタルチューナ９により抽出される。そして、抽出されたテレビ放送波に基づくテレビ画像が液晶表示器３に表示されるとともに、そのテレビ画像に対応するテレビ音声がスピーカ４から出力される（ステップＳ４０３）。
【００６５】
このとき、アナログチューナ８が起動された場合には、アナログチャンネル番号記憶部２１に記憶されているチャンネル番号が消去され、デジタルチューナ９が起動された場合には、デジタルチャンネル番号記憶部２２に記憶されているチャンネル番号が消去されるようになっている（ステップＳ４０４）。
【００６６】
その後、操作キー１１の操作によりチャンネルサーチが開始されると（ステップＳ４０５でＹｅｓ）、チャンネルサーチ処理部２０は、アナログチューナ８又はデジタルチューナ９に対して、そのときのチャンネル番号を「１」だけ増加させたチャンネル番号を指定することとなる（ステップＳ４０６）。このとき、そのチャンネル番号がデジタルチャンネル番号記憶部２２又はアナログチャンネル番号記憶部２１に記憶されていない場合、あるいは、デジタルチャンネル番号記憶部２２又はアナログチャンネル番号記憶部２１に記憶されていても、その格納時間から所定時間が経過している場合にのみ、そのチャンネル番号が指定される。
【００６７】
より具体的に説明すると、アナログチューナ８の動作中は、デジタルチャンネル番号記憶部２２に記憶されていないチャンネル番号、すなわち、それよりも前にデジタルチューナ９により抽出されていないテレビ放送波のチャンネル番号であれば（ステップＳ４０７でＮｏ）、そのチャンネル番号が指定されることにより、指定されたチャンネル番号のテレビ放送波がアナログチューナ８により抽出される（ステップＳ４０９）。また、デジタルチューナ９により既に抽出されているテレビ放送波のチャンネル番号であっても（ステップＳ４０７でＹｅｓ）、そのチャンネル番号がデジタルチャンネル番号記憶部２２に格納された時間から所定時間が経過していれば（ステップＳ４０８でＹｅｓ）、そのチャンネル番号が指定されることにより、指定されたチャンネル番号のテレビ放送波がアナログチューナ８により抽出される（ステップＳ４０９）。
【００６８】
一方、デジタルチューナ９の動作中は、アナログチャンネル番号記憶部２１に記憶されていないチャンネル番号、すなわち、それよりも前にアナログチューナ８により抽出されていないテレビ放送波のチャンネル番号であれば（ステップＳ４０７でＮｏ）、そのチャンネル番号が指定されることにより、指定されたチャンネル番号のテレビ放送波がデジタルチューナ９により抽出される（ステップＳ４０９）。また、アナログチューナ８により既に抽出されているテレビ放送波のチャンネル番号であっても（ステップＳ４０７でＹｅｓ）、そのチャンネル番号がアナログチャンネル番号記憶部２１に格納された時間から所定時間が経過していれば（ステップＳ４０８でＹｅｓ）、そのチャンネル番号が指定されることにより、指定されたチャンネル番号のテレビ放送波がデジタルチューナ９により抽出される（ステップＳ４０９）。
【００６９】
そして、指定されたチャンネル番号のテレビ放送波を抽出することができ、そのテレビ放送波を正常に受信することができれば（ステップＳ４１０でＹｅｓ）、そのテレビ放送波に基づくテレビ画像が液晶表示器３に表示されるとともに、テレビ画像に対応するテレビ音声がスピーカ４から出力される（ステップＳ４１１）。このとき、アナログチューナ８に対して指定されたチャンネル番号は、アナログチャンネル番号記憶部２１に格納され、デジタルチューナ９に対して指定されたチャンネル番号は、デジタルチャンネル番号記憶部２２に格納される（ステップＳ４１２）。
【００７０】
一方、アナログチューナ８に対して指定しようとするチャンネル番号が、既にデジタルチューナ９により抽出されてデジタルチャンネル番号記憶部２２に記憶されているや、デジタルチューナ９に対して指定しようとするチャンネル番号が、既にアナログチューナ８により抽出されてアナログチャンネル番号記憶部２１に記憶されている場合であって（ステップＳ４０７でＹｅｓ）、その格納時間から所定時間が経過していない場合には（ステップＳ４０８でＮｏ）、そのチャンネル番号は指定されず、当該チャンネル番号をさらに「１」だけ増加させたチャンネル番号が指定されることとなる（ステップＳ４０６）。
【００７１】
また、指定されたチャンネル番号のテレビ放送波を抽出することができず、そのテレビ放送波を正常に受信することができなかった場合にも（ステップＳ４１０でＮｏ）、そのチャンネル番号をさらに「１」だけ増加させたチャンネル番号が指定される（ステップＳ４０６）。
【００７２】
このように、ユーザは、操作キー１１を操作することによりチャンネルサーチを行い、受信可能な所望のテレビ放送波に基づくテレビ画像及びテレビ音声を出力させて、テレビ放送を視聴することができる。その後、アナログチューナ８とデジタルチューナ９との間でチューナを切り替える操作や、テレビ放送の視聴を終了するための操作が行われ、そのとき動作中のアナログチューナ８又はデジタルチューナ９が停止されると（ステップＳ４１４でＹｅｓ）、そのとき受信中のテレビ放送波に基づくテレビ画像及びテレビ音声の出力が停止される（ステップＳ４１５）。
【００７３】
本実施の形態では、デジタルチューナ９の起動時に、デジタルチャンネル番号記憶部２２に記憶されているデジタルテレビ放送波のチャンネル番号が消去され、アナログチューナ８の起動時に、アナログチャンネル番号記憶部２１に記憶されているアナログテレビ放送波のチャンネル番号が消去される。これにより、デジタルチューナ９の起動時には、直前のアナログチューナ８の動作中に抽出されたアナログテレビ放送波のチャンネル番号のみがアナログチャンネル番号記憶部２１に記憶された状態となり、アナログチューナ８の起動時には、直前のデジタルチューナ９の動作中に抽出されたデジタルテレビ放送波のチャンネル番号のみがチャンネル番号記憶部２２に記憶された状態となる。
【００７４】
したがって、デジタルチューナ９又はアナログチューナ８の一方のチューナが起動されてテレビ放送波が抽出され、その後に上記一方のチューナの動作が停止されて他方のチューナが起動された場合に、直前の上記一方のチューナの動作中に既に抽出されているテレビ放送波のチャンネル番号以外のチャンネル番号の中から、上記他方のチューナで受信可能なテレビ放送波のチャンネル番号が検索される。すなわち、デジタルチューナ９で受信可能なデジタルテレビ放送波のチャンネル番号を検索する場合には、直前のアナログチューナ８の動作中に抽出されたアナログテレビ放送波のチャンネル番号をチャンネルサーチの対象から除外し、アナログチューナ８で受信可能なアナログテレビ放送波のチャンネル番号を検索する場合には、直前のデジタルチューナ９の動作中に抽出されたデジタルテレビ放送波のチャンネル番号をチャンネルサーチの対象から除外することができる。
【００７５】
このように、アナログテレビ放送波のチャンネル番号と判明しているチャンネル番号は、デジタルテレビ放送波のチャンネルサーチの対象とはせず、デジタルテレビ放送波のチャンネル番号と判明しているチャンネル番号は、アナログテレビ放送波のチャンネルサーチの対象とはしないことにより、無駄なチャンネルサーチの対象を排除し、チャンネルサーチに要する時間を短縮することができる。
【００７６】
また、デジタルチャンネル番号記憶部２２又はアナログチャンネル番号記憶部２１に格納されているチャンネル番号であっても、そのチャンネル番号が格納されてから所定時間が経過している場合には、チャンネルサーチの対象とすることができる。デジタルチャンネル番号記憶部２２又はアナログチャンネル番号記憶部２１にチャンネル番号が格納されてから所定時間が経過している場合には、当該チャンネル番号に割り当てられるデジタルテレビ放送波又はアナログテレビ放送波が異なる地域に移動している可能性があるので、そのチャンネル番号をチャンネルサーチの対象とすることにより、当該チャンネル番号がチャンネルサーチの対象から除外されるのを防止できる。
【００７７】
以上の実施の形態では、携帯通信端末装置の一例として携帯電話機について説明したが、本発明は、携帯電話機に限らず、携帯型のパーソナルコンピュータやＰＤＡ(Personal Digital Assistance)などの他の携帯情報端末装置にも適用可能である。
【図面の簡単な説明】
【００７８】
【図１】本発明の実施の形態１による携帯情報端末装置の一例を示したブロック図であり、携帯情報端末装置の一例として携帯電話機が示されている。
【図２】各チャンネル番号に対する放送局の割り当ての一例を示した図である。
【図３】アナログチューナ及びデジタルチューナの起動後に行われる処理の一例を示したフローチャートである。
【図４】アナログチャンネル番号記憶部及びデジタルチャンネル番号記憶部に記憶されているチャンネル番号を消去する処理の一例を示したフローチャートである。
【図５】本発明の実施の形態２による携帯情報端末装置の一例を示したブロック図であり、携帯情報端末装置の一例として携帯電話機が示されている。
【図６】アナログチャンネル番号記憶部及びデジタルチャンネル番号記憶部に記憶されているチャンネル番号を消去する処理の一例を示したフローチャートである。
【図７】本発明の実施の形態３による携帯情報端末装置の一例を示したブロック図であり、携帯情報端末装置の一例として携帯電話機が示されている。
【図８】アナログチューナ及びデジタルチューナの起動後に行われる処理の一例を示したフローチャートである。
【符号の説明】
【００７９】
１，１０１，２０１  携帯電話機
２  テレビ放送受信用アンテナ
３  液晶表示器
４  スピーカ
５  画面表示制御部
６  音声制御部
７  テレビ放送受信部
８  アナログチューナ
９  デジタルチューナ
１０  チューナ切替スイッチ
１１  操作キー
１２  ＮＴＳＣデコーダ
１３  画像デコーダ
１４  音声デコーダ
１５  通信部
１６  通信用アンテナ
１７  基地局検出部
１８  受話用レシーバ
２０  チャンネル番号格納制御部
２１  アナログチャンネル番号記憶部
２２  デジタルチャンネル番号記憶部
２３  チャンネルサーチ処理部
２４  ＧＰＳ受信部
２５  ＧＰＳ受信用アンテナ
２６  タイマ
２７  格納時間記憶部
【図１】
2007208463.tif 000003
【図２】
2007208463.tif 000004
【図３】
2007208463.tif 000005
【図４】
2007208463.tif 000006
【図５】
2007208463.tif 000007
【図６】
2007208463.tif 000008
【図７】
2007208463.tif 000009
【図８】
2007208463.tif 000010